(57)【要約】【課題】漏水を検出するとともに、漏水箇所を修理するまで、漏水による水の躯体への侵入を防止または抑制することができる漏水検出装置を提供すること。【解決手段】漏水検出装置１は、躯体１００上に敷設され、躯体１００に対する防水性を有する防水シート３００からの漏水を検出する装置である。この漏水検出装置１は、防水シート３００の裏側に配置され、水分Ｑを吸収する吸水シート２と、吸水シート２が吸収した水分Ｑを検出する水分検出部４とを備え、水分検出部４での検出結果に応じて、漏水の有無の判断が可能である。【選択図】図１
2020008375.tif 000002
【特許請求の範囲】
【請求項１】
躯体上に敷設され、該躯体に対する防水性を有する防水シートからの漏水を検出する漏水検出装置であって、
前記防水シートの裏側に配置され、水分を吸収する吸水シートと、
前記吸水シートが吸収した水分を検出する水分検出部とを備え、
前記水分検出部での検出結果に応じて、前記漏水の有無の判断が可能であることを特徴とする漏水検出装置。
【請求項２】
前記防水シートは、折り曲げて敷設されており、
前記吸水シートは、前記防水シートとともに折り曲げられている請求項１に記載の漏水検出装置。
【請求項３】
前記水分検出部は、前記吸水シートの裏側に接して配置されている請求項１または２に記載の漏水検出装置。
【請求項４】
前記水分検出部は、前記吸水シートに接して設けられた紙製の基部と、該基部上に形成された電気回路とを有し、
前記電気回路は、前記基部での水分吸収時の膨張の程度に応じて、断線可能に構成されており、
前記電気回路が断線した場合、前記漏水とする請求項１ないし３のいずれか１項に記載の漏水検出装置。
【請求項５】
前記水分検出部での検出結果を報知する報知部を備える請求項１ないし４のいずれか１項に記載の漏水検出装置。
【請求項６】
前記水分検出部と前記報知部とは、ユニット化されている請求項５に記載の漏水検出装置。
【請求項７】
前記躯体上には、前記防水シートの裏側に硬質の板部材が配置されており、
前記吸水シートは、前記板部材の裏側に配置されている請求項１ないし６のいずれか１項に記載の漏水検出装置。
【請求項８】
前記水分検出部での検出結果を報知する報知部を備え、
前記報知部は、前記板部材の平面視で、前記板部材と重ならない位置に配置されている請求項７に記載の漏水検出装置。
【発明の詳細な説明】
【技術分野】
【０００１】
本発明は、漏水検出装置に関する。
【背景技術】
【０００２】
近年、建築物の高耐久化が求められるに伴って、多くの建築物の屋上やベランダ等において、防水シートを敷設施工した防水構造が採用されている。防水シートは、紫外線や風雨にさらされるため、必然的に経時劣化し易く、その劣化の程度によっては、部分的に破断することがある。この場合、破断箇所から雨水が漏れ出して、建築物内に侵入するおそれがある。そのため、漏水を検知する漏水検知システムを用いることが知られている（例えば、特許文献１参照）。特許文献１に記載の漏水検知システムは、漏水箇所を特定することができる。
【０００３】
しかしながら、特許文献１に記載の漏水検知システムでは、漏水箇所を特定しても、その漏水箇所を修理するまでは、建築物への雨水の侵入がそのままとなってしまうという問題があった。
【先行技術文献】
【特許文献】
【０００４】
【特許文献１】特開２００８−２３３０３１号公報
【発明の概要】
【発明が解決しようとする課題】
【０００５】
本発明の目的は、漏水を検出するとともに、漏水箇所を修理するまで、漏水による水の躯体への侵入を防止または抑制することができる漏水検出装置を提供することにある。
【課題を解決するための手段】
【０００６】
このような目的は、下記（１）〜（８）の本発明により達成される。
（１）  躯体上に敷設され、該躯体に対する防水性を有する防水シートからの漏水を検出する漏水検出装置であって、
前記防水シートの裏側に配置され、水分を吸収する吸水シートと、
前記吸水シートが吸収した水分を検出する水分検出部とを備え、
前記水分検出部での検出結果に応じて、前記漏水の有無の判断が可能であることを特徴とする漏水検出装置。
【０００７】
（２）  前記防水シートは、折り曲げて敷設されており、
前記吸水シートは、前記防水シートとともに折り曲げられている上記（１）に記載の漏水検出装置。
【０００８】
（３）  前記水分検出部は、前記吸水シートの裏側に接して配置されている上記（１）または（２）に記載の漏水検出装置。
【０００９】
（４）  前記水分検出部は、前記吸水シートに接して設けられた紙製の基部と、該基部上に形成された電気回路とを有し、
前記電気回路は、前記基部での水分吸収時の膨張の程度に応じて、断線可能に構成されており、
前記電気回路が断線した場合、前記漏水とする上記（１）ないし（３）のいずれかに記載の漏水検出装置。
【００１０】
（５）  前記水分検出部での検出結果を報知する報知部を備える上記（１）ないし（４）のいずれかに記載の漏水検出装置。
【００１１】
（６）  前記水分検出部と前記報知部とは、ユニット化されている上記（５）に記載の漏水検出装置。
【００１２】
（７）  前記躯体上には、前記防水シートの裏側に硬質の板部材が配置されており、
前記吸水シートは、前記板部材の裏側に配置されている上記（１）ないし（６）のいずれかに記載の漏水検出装置。
【００１３】
（８）  前記水分検出部での検出結果を報知する報知部を備え、
前記報知部は、前記板部材の平面視で、前記板部材と重ならない位置に配置されている上記（７）に記載の漏水検出装置。
【発明の効果】
【００１４】
本発明によれば、漏水を検出するとともに、漏水箇所を修理するまで、漏水による水の躯体への侵入を防止または抑制することができる。
【図面の簡単な説明】
【００１５】
【図１】図１は、本発明の漏水検出装置の使用状態を示す部分垂直断面図である。
【図２】図２は、図１中の矢印Ａ方向から見た図である。
【図３】図３は、漏水が未だ生じていない状態を示す概略図である。
【図４】図４は、漏水が生じた状態を示す概略図である。
【発明を実施するための形態】
【００１６】
以下、本発明の漏水検出装置を添付図面に示す好適な実施形態に基づいて詳細に説明する。
図１は、本発明の漏水検出装置の使用状態を示す部分垂直断面図である。図２は、図１中の矢印Ａ方向から見た図である。図３は、漏水が未だ生じていない状態を示す概略図である。図４は、漏水が生じた状態を示す概略図である。なお、以下では、説明の都合上、図１中の上側を「上」または「上方」、下側を「下」または「下方」と言う。また、図１中の左側を「左」または「手前」、右側を「右」または「奥」と言う。また、図２中の下側を「手前」、上側を「奥」と言う。
【００１７】
図１に示すように、躯体１００には、防水構造２００が施工されている。躯体１００の中で、防水構造２００が施工される部分としては、特に限定されず、例えば、平屋の屋根やベランダ等が挙げられ、本実施形態では、床面１０１と、床面１０１から立設する壁面１０２とを有している。なお、床面１０１は、図１中、左側から右側に向かって緩やかに傾斜して下っているのが好ましい。これにより、雨水等が傾斜方向下側に向かって流れることができ、防水構造２００での排水効果が向上する。
【００１８】
防水構造２００は、躯体１００上に敷設され、躯体１００に対する防水性を有する防水シート３００と、防水シート３００の裏側、すなわち、躯体１００と防水シート３００との間に配置され、硬質の板部材である鋼板４００とを有している。
【００１９】
図１に示すように、鋼板４００は、床面１０１に沿って配置される水平部４０１と、壁面１０２に沿って配置される鉛直部４０２とを有している。図２に示すように、防水構造２００では、鋼板４００は、水平方向に壁面１０２に沿って複数並べて配置される。
【００２０】
また、鋼板４００としては、特に限定されず、例えば、ガルバリウム鋼板（登録商標）やステンレス鋼板等の各種鋼板をポリ塩化ビニルで構成された膜で被覆したものを用いることができる。
【００２１】
図１に示すように、鋼板４００上は、防水シート３００が配置されている。この防水シート３００は、折り曲げて敷設されており、床面１０１に沿った水平部３０１と、壁面１０２に沿った鉛直部３０２とが形成されている。水平部３０１は、鋼板４００の水平部４０１を覆っている。鉛直部３０２は、鋼板４００の鉛直部４０２を覆っている。また、図２に示すように、防水シート３００は、１枚あたり、複数の鋼板４００を一括して覆っている。
【００２２】
防水シート３００の構成材料としては、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができるが、ポリ塩化ビニルであるのが好ましい。これにより、例えば、鋼板４００の前記樹脂カバー層との密着性を向上させることができる。なお、防水シート３００と樹脂カバー層とは、溶着、融着（熱融着、高周波融着、超音波融着等）、接着（接着剤や溶媒による接着）等の各種接合方法により接合されている。
【００２３】
ところで、防水シート３００は、紫外線や風雨にさらされるため、必然的に経時劣化し易く、その劣化の程度によっては、部分的に破断することがある。例えば、図１では、防水シート３００は、水平部３０１と鉛直部３０２との境界部が破断して破断部３０３が形成されている。この場合、破断部３０３から雨水（以下「水分Ｑ」と言う）が漏れ出して、躯体１００内に侵入するおそれがある。そこで、防水シート３００からの漏水を検出する漏水検出装置１を用いて、このような不具合を解消することができる。
【００２４】
図１に示すように、漏水検出装置１は、防水シート３００の裏側に配置され、水分Ｑを吸収する吸水シート２と、吸水シート２が吸収した水分Ｑを検出するとともに、その旨を報知する水分検出ユニット３とを備えている。以下、各部の構成について説明する。
【００２５】
吸水シート２は、鋼板４００の裏側、すなわち、躯体１００と鋼板４００との間に配置されている。これにより、防水シート３００の破断部３０３から漏れ出た水分Ｑが躯体１００に至る以前に、水分Ｑを防水シート３００で吸収することができる。これにより、水分Ｑが躯体１００内に侵入するのを防止することができる。
【００２６】
なお、吸水シート２は、図１に示す構成では躯体１００と鋼板４００との間に配置されているが、これに限定されず、例えば、防水シート３００と鋼板４００との間に配置されていてもよい。
【００２７】
また、図２に示すように、吸水シート２は、２つの鋼板４００同士の間をまたいで配置されているのが好ましい。
【００２８】
図１に示すように、吸水シート２は、鋼板４００を介して、防水シート３００とともに折り曲げられている。これにより、吸水シート２には、床面１０１に沿った水平部２１と、壁面１０２に沿った鉛直部２２とが形成される。水平部２１は、床面１０１の壁面１０２側の部分を覆っている。鉛直部２２は、壁面１０２の下部を覆っている。このように折り曲げられていることにより、吸水シート２は、躯体１００をできる限り広く覆うことができ、よって、漏水が生じても、水分Ｑを吸収可能な領域を十分に確保することができる。
【００２９】
吸水シート２としては、特に限定されず、例えば、織布または不織布にナトリウム型ベントナイトを充填したもの、または、これに高密度ポリエチレンをさらに養生シートとして溶着したもの等を用いることができる。これにより、吸水シート２は、過不足なく水分Ｑを吸収することができる。また、吸水シート２は、水分Ｑを吸収しても、過剰に膨張するのが防止される。
【００３０】
水分検出ユニット３は、吸水シート２が吸収した水分Ｑを検出する水分検出部４と、水分検出部４での検出結果を報知する報知部５とを有し、これらがユニット化されている。これにより、水分検出部４と報知部５とを一括して、漏水検出装置１での所定位置に配置することができる。すなわち、水分検出部４と報知部５とがそれぞれ個別に独立した別体で構成されている場合に比べて、水分検出部４と報知部５とを設置する工数を削減することができる。
【００３１】
図３、図４に示すように、水分検出部４は、吸水シート２に接して設けられた基部４１と、基部４１上に形成された電気回路４２とを有している。
【００３２】
基部４１は、短冊状をなす小片で構成されている。図１に示すように、この水分検出部４の基部４１は、吸水シート２の水平部２１の裏側に接して配置されている。これにより、水分Ｑは、吸水シート２での毛管現象により、吸水シート２内を吸収されて、基部４１に向かうことができ、そして遂には、基部４１に到達する。また、図４に示すように、水分Ｑは、基部４１でも毛管現象により、基部４１内に吸収される。また、紙製の基部４１は、膨潤性を有しているため、水分Ｑを吸収した際には膨張する。
【００３３】
基部４１の表側の面または裏側の面には、電気回路４２が形成されている。この電気回路４２は、基部４１に印刷を施すことにより、導電性を有するインクで形成されている。なお、本実施形態では、電気回路４２は、報知部５からの電力供給により、通電状態となる（図３参照）。
【００３４】
前述したように、基部４１は、水分Ｑを吸収した際には膨張する。そして、電気回路４２は、基部４１での水分吸収時の膨張の程度に応じて、断線可能に構成されている。すなわち、基部４１が水分Ｑの吸収によって膨張していくと、それに伴って、電気回路４２には、引張力が生じる。そして、電気回路４２は、この引張力により破断限界を超えると、図４に示すように、破断して少なくとも１つの破断部４２１が形成される。このとき、電気回路４２は、断線して、通電状態が遮断状態となる。また、電気回路４２の記録部４２２では、この遮断状態が記録され、漏水と判断される。
【００３５】
このように、漏水検出装置１では、水分検出部４での検出結果に応じて、漏水の有無の判断が可能である。すなわち、漏水検出装置１では、電気回路４２での通電状態が維持されれば、漏水が未だ生じておらず、電気回路４２が遮断状態となれば、漏水が生じたと判断することができる。そして、後述する報知部５での報知により、例えば、居住者は、漏水を知ることができ、防水シート３００の修理を修理業者に依頼することができる。また、防水シート３００を修理するまでは、吸水シート２により、水分Ｑの躯体１００への侵入を防止または抑制することができる。
【００３６】
水分検出部４の基部４１上には、報知部５が搭載されている。報知部５は、水分検出部４での検出結果を報知することができる。
【００３７】
報知部５としては、特に限定されず、例えば、ＲＦＩＤ（radio frequency identifier）が内蔵されたものを用いることができる。これにより、図４に示すように、電気回路４２の記録部４２２に記憶された「漏水と判断した」情報が、例えば、スマートフォン５００等の携帯端末に無線通信によって送信される。スマートフォン５００には、「漏水発生」の旨が表示される。これにより、居住者は、漏水が生じたことを知ることができる。
【００３８】
なお、報知部５は、無線通信をするものに限定されず、有線通信をするものであってもよい。
【００３９】
図２に示すように、報知部５は、鋼板４００の平面視で、鋼板４００と重ならない位置に配置されている。これにより、スマートフォン５００への無線通信が鋼板４００で妨げられるのが防止され、よって、その無線通信を円滑に行うことができる。
【００４０】
以上、本発明の漏水検出装置を図示の実施形態について説明したが、本発明は、これに限定されるものではなく、漏水検出装置を構成する各部は、同様の機能を発揮し得る任意の構成のものと置換することができる。また、任意の構成物が付加されていてもよい。
【符号の説明】
【００４１】
１            漏水検出装置
２            吸水シート
２１          水平部
２２          鉛直部
３            水分検出ユニット
４            水分検出部
４１          基部
４２          電気回路
４２１        破断部
４２２        記録部
５            報知部
１００        躯体
１０１        床面
１０２        壁面
２００        防水構造
３００        防水シート
３０１        水平部
３０２        鉛直部
３０３        破断部
４００        鋼板
４０１        水平部
４０２        鉛直部
５００        スマートフォン
Ｑ            水分
【図１】
2020008375.tif 000003
【図２】
2020008375.tif 000004
【図３】
2020008375.tif 000005
【図４】
2020008375.tif 000006